(57)【要約】      （修正有）【課題】洋傘を下向きとして手元のフック部をテーブル等の台面に載置した状態で吊持する際、該フック部を支持するためのホルダーを提供する。【解決手段】洋傘の手元のフック部を挿入保持するカップ部５と、該カップ部の外側面から径方向に延設されたストッパ部６を備えており、カップ部の底面は、台面Ｔに載置されたとき、該カップ部を起立姿勢と傾斜姿勢の間で姿勢変更自在とする球状の湾曲面部９を形成し、ストッパ部は、カップ部を起立姿勢とした状態で、台面に向けて斜め下向きに対向するアーム部１０と、先端に位置して台面に当接する接支部１１を弾性材により一体成形している。【選択図】図１
0003222058.tif 000002
【実用新案登録請求の範囲】
【請求項１】
洋傘の手元に関して、洋傘の中棒から延びるグリップ部(3a)と、該グリップ部から折り返されたフック部(3b)を形成して成り、洋傘を下向きとしてフック部(3b)の先端を平坦な台面(T)に載置することにより洋傘を吊持可能とする構成において、前記フック部(3b)に装着されるホルダー(4)であり、
前記フック部の先端部を挿入保持するカップ部(5)と、該カップ部の外側面から径方向に延設されたストッパ部(6)を備えており、
前記カップ部(5)の底面は、前記台面(T)に載置されたとき、該カップ部を起立姿勢と傾斜姿勢の間で姿勢変更自在とする球状の湾曲面部(9)を形成し、
前記ストッパ部(6)は、前記カップ部を前記起立姿勢とした状態で、台面(T)に向けて斜め下向きに対向するアーム部(10)と、先端に位置して台面(T)に当接する接支部(11)を備え、前記アーム部(10)と接支部(11)を弾性材により一体成形して成ることを特徴とする洋傘吊持用のホルダー。
【請求項２】
前記カップ部(5)とストッパ部(6)は、弾性材により一体成形されて成ることを特徴とする請求項１に記載の洋傘吊持用のホルダー。
【請求項３】
前記カップ部(5)は、前記フック部(3b)の先端部を挿入させる円形穴(7)の内周面に弾性リブ(8)を形成しており、該弾性リブにより前記フック部の先端部を弾性保持するように構成されて成ることを特徴とする請求項１又は２に記載の洋傘吊持用のホルダー。
【考案の詳細な説明】
【技術分野】
【０００１】
本考案は、フック部を形成した手元を有する洋傘を下向きとして、前記フック部をカウンターやテーブル等の台面に載置した状態で吊持する際、該フック部を好適に支持することができるように構成した洋傘吊持用のホルダーに関する。
【背景技術】
【０００２】
従来、洋傘の手元は、洋傘の中棒から延びるグリップ部に折り返されたフック部を形成したものが公知である。
【０００３】
そして、このような公知の手元を備えた洋傘は、洋傘を下向きとして、フック部をカウンターやテーブル等の台面に載置した状態で吊持することができる利点がある。
【０００４】
ところが、フック部を台面に載置した状態で、いわば引掛け状態で洋傘を吊持しているに過ぎないので、フック部が台面上を滑って動くと、簡単容易に台面から脱落する問題がある。
【０００５】
このため、特許文献１のように、フック部の先端にゴム製の滑り止め具を装着する考案や、特許文献２のように、台面上に安定的に載置した保持具の凹部にフック部の先端を挿入係止する考案が提案されている。
【先行技術文献】
【特許文献】
【０００６】
【特許文献１】実用新案登録第３１３３０９６号公報
【特許文献２】実用新案登録第３１６２４８０号公報
【考案の概要】
【考案が解決しようとする課題】
【０００７】
特許文献１や特許文献２により提案された従来技術は、何れも、カウンターやテーブル等の台面から手元のフック部の先端が滑り落ちることを防止する点においては効果があるが、吊持された洋傘の揺動を防止することができないという問題がある。
【０００８】
フック部を形成した手元を有する洋傘は、フック部の先端をテーブルの台面に載置した引掛け状態で吊持したとき、洋傘は、自重によるモーメントにより、フック部の下方に移動させられる。
【０００９】
従って、ユーザが手元を手指で把持することによりフック部の先端をテーブル等の台面に載置した後、手指から放すと、洋傘がテーブル等の下側に向けて揺動すると共に元の位置に向けて揺動し、暫くの間は、往復揺動を繰り返すことになる。
【００１０】
このように洋傘が揺動するときは、滴下する雨水を床面にばら撒いてしまう問題があり、しかも、テーブル等の下側領域の奥深くまで揺動するので、例えば、テーブル等の下側の棚に衣服等が収納されている場合は、衣服等に接触して濡らしてしまうという問題がある。
【００１１】
本考案は、上記問題を解決したホルダーを提案するものであり、カップ部に手元のフック部を挿入保持した状態で、ユーザが手元を手指で把持することによりカップ部の底面をテーブル等の台面に載置した後に手指を放したとき、該底面に形成された球状の湾曲面部を介してカップ部を起立姿勢と傾斜姿勢の間で姿勢変更自在とすることにより台面上での滑動を防止する他、ストッパ部が接支部を台面に接支させた状態で、アーム部の弾性により洋傘の揺動を吸収しながら揺動を阻止するように構成したホルダーの提供を課題としている。
【課題を解決するための手段】
【００１２】
そこで、本考案が手段として構成したところは、洋傘の手元に関して、洋傘の中棒から延びるグリップ部と、該グリップ部から折り返されたフック部を形成して成り、洋傘を下向きとしてフック部の先端を平坦な台面に載置することにより洋傘を吊持可能とする構成において、前記フック部に装着されるホルダーであり、前記フック部の先端部を挿入保持するカップ部と、該カップ部の外側面から径方向に延設されたストッパ部を備えており、前記カップ部の底面は、前記台面に載置されたとき、該カップ部を起立姿勢と傾斜姿勢の間で姿勢変更自在とする球状の湾曲面部を形成し、前記ストッパ部は、前記カップ部を前記起立姿勢とした状態で、台面に向けて斜め下向きに対向するアーム部と、先端に位置して台面に当接する接支部を備え、前記アーム部と接支部を弾性材により一体成形して成る点にある。
【００１３】
前記カップ部とストッパ部は、弾性材により一体成形することが好ましい。
【００１４】
本考案の好ましい実施形態において、前記カップ部は、前記フック部の先端部を挿入させる円形穴の内周面に弾性リブを形成しており、該弾性リブにより前記フック部の先端部を弾性保持するように構成されている。
【考案の効果】
【００１５】
本考案によれば、カップ部５に洋傘１の手元３のフック部３ｂを挿入保持した状態で、ユーザが手元３を手指で把持することによりカップ部５の底面をテーブル等の台面Ｔに載置した後に手指を放したとき、該底面に形成された球状の湾曲面部９を介してカップ部５を起立姿勢と傾斜姿勢の間で姿勢変更自在とすることにより台面Ｔの上で滑動することを防止する他、ストッパ部６が接支部１１を台面に接支させた状態で、アーム部１０の弾性変形と弾性復元力により洋傘の揺動を吸収しながら揺動を阻止し、小さい角度の傾斜姿勢で直ちに静止させることができるという効果がある。
【図面の簡単な説明】
【００１６】
【図１】本考案の第１実施形態に係るホルダーを示しており、（Ａ）は斜視図、（Ｂ）はＡ−Ａ断面図、（Ｃ）はＢ−Ｂ断面図である。
【図２】第１実施形態に係るホルダーの作用に関して、（Ａ）はホルダーを装着していない場合の作用を示す説明図、（Ｂ）は手元のフック部に装着したホルダーを台面に載置した状態を示す説明図、（Ｃ）はホルダーにより洋傘の揺動が防止されている状態を示す説明図である。
【図３】本考案の第２実施形態に係るホルダーを示しており、（Ａ）は斜視図、（Ｂ）はＣ−Ｃ断面図、（Ｃ）はＤ−Ｄ断面図である。
【図４】第２実施形態に係るホルダーの作用に関して、（Ａ）はホルダーを装着していない場合の作用を示す説明図、（Ｂ）は手元のフック部に装着したホルダーを台面に載置した状態を示す説明図、（Ｃ）はホルダーにより洋傘の揺動が防止されている状態を示す説明図である。
【考案を実施するための形態】
【００１７】
以下図面に基づいて本考案の好ましい実施形態を詳述する。
【００１８】
＜第１実施形態＞
図１及び図２は、本考案に係るホルダーの第１実施形態を示している。
【００１９】
（技術的構成）
本考案のホルダーは、図２（Ａ）に示すような洋傘１、つまり、中棒２に取付けられた手元３に関して、中棒２から延びるグリップ部３ａと、該グリップ部から折り返されたフック部３ｂを形成した洋傘１に使用されるものである。
【００２０】
このような手元３を備えた洋傘１は、同図に示すように、洋傘１を下向きとして、フック部３ｂの先端をカウンターやテーブル等の台面Ｔに載置した状態で吊持することができる。
【００２１】
そこで、図１に示すように、ホルダー４は、カップ部５と、該カップ部５の外側面から径方向に延設されたストッパ部６を備えている。カップ部５とストッパ部６は、ゴムやエラストマー等の弾性材により成形されており、両者５、６は、個別に成形したものを接着等により固着しても良いが、全体を一体成形されることが好ましい。
【００２２】
前記カップ部５は、前記洋傘１における手元３のフック部３ｂの先端部を挿入させるための円形穴７を形成し、該円形穴７の内周面に弾性リブ８を設けている。円形穴７は、穴底に向けて内径が次第に小さくなるテーパ穴を構成することが好ましく、弾性リブ８は、円形穴７の軸方向に延びるものが周方向に間隔をあけて複数条配列されていることが好ましい。これにより、円形穴７に挿入されたフック部３ｂの先端部は、円形穴７の底部近傍において弾性リブ８により弾性保持される。
【００２３】
カップ部５の底面は、前記台面Ｔに載置されたとき、図１（Ｂ）に示すように、該カップ部５を起立姿勢と傾斜姿勢の間で姿勢変更自在とする球面状の湾曲面部９を形成している。
【００２４】
前記ストッパ部６は、図１（Ｃ）に示すように、前記湾曲面部９を台面Ｔに載置してカップ部５を起立姿勢とした状態で、台面Ｔに向けて斜め下向きに対向するアーム部１０と、該アーム部の先端に位置して台面Ｔに当接する接支部１１を備えている。この際、上述のように、アーム部１０と接支部１１は、弾性材により一体成形されている。
【００２５】
第１実施形態の場合、ストッパ部６は、吊下げストラップのような外観を呈する意匠デザインのものに形成され、帯片を水滴状に折曲したループを表すことにより、アーム部１０を一対の帯片１０ａ、１０ａにより構成し、両帯片の折返し湾曲部により接支部１１を構成している。
【００２６】
従って、洋傘１のフック部３ｂに装着する前のホルダー４は、例えば、商品として棚の載置面Ｔに載置して陳列したり、ユーザが使用待機状態としてテーブル等の載置面Ｔに載置したりするとき、カップ部５の湾曲面部９が不安定であり転倒しやすい構成であるにも関わらず、ストッパ部６の接支部１１を載置面Ｔに接支させることにより、好適に起立姿勢を保持することができる。
【００２７】
（作用）
図２に基づいて作用を説明する。
【００２８】
上述の通り、洋傘１は、図２（Ａ）に示すように、下向きとして、フック部３ｂの先端をテーブル等の台面Ｔに載置した引掛け状態で吊持させたとき、自重によるモーメントにより、フック部３ｂの下方に向けて揺動し、暫くの間は、往復揺動を繰り返すことにより、種々の問題を生じる。
【００２９】
これに対して、フック部３ｂにホルダー４を装着した場合の作用を図２（Ｂ）（Ｃ）に示している。
【００３０】
ホルダー４のカップ部５にフック部３ｂを挿入する際、フック部３ｂとグリップ部３ａを結ぶ線上にストッパ部６が位置するように位置決めする。図示の場合、ストッパ部６をグリップ部３ａに向けて位置決めし、円形穴７に挿入したフック部３ｂの先端部を穴底の近傍で弾性リブ８により保持している。弾性リブ８で保持された状態のフック部３ｂは、周方向に回動が阻止され、位置決め状態で保持される。
【００３１】
図２（Ｂ）に示すように、ユーザが手元３を手指で把持することによりカップ部５を起立姿勢として底面をテーブル等の台面Ｔに載置したとき、ストッパ部６の接支部１１が同時に台面Ｔに接支する。カップ部５の底面の湾曲面部９とストッパ部６の接支部１１は、弾性材による十分な摩擦抵抗を有しているので、台面Ｔを滑動して脱落するおそれはない。
【００３２】
ユーザが手元３から手指を放したとき、図２（Ｃ）に示すように、洋傘１は、自重によるモーメントにより、フック部３ｂの下方に向けて揺動し、ホルダー４もカップ部５の湾曲面部９を介して起立姿勢から傾斜姿勢へと姿勢変更するが、このとき、ストッパ部６の接支部１１が台面Ｔに接支された状態で、アーム部１０が弾性変形することにより洋傘１の揺動を吸収すると共に、弾性復元力により揺動を阻止する。
【００３３】
これにより、洋傘１は、図２（Ｂ）に示すようにカップ部５が起立姿勢とされた状態から、図２（Ｃ）に示すようにカップ部５がストッパ部６に向けて若干の角度だけ傾斜姿勢とされた状態で、静止させられる。従って、台面Ｔに吊持された洋傘１は、ホルダー１を装着していない場合は、図２（Ａ）に示すように顕著な傾斜姿勢とされるのに対して、ホルダー１を装着することにより、図２（Ｃ）に示すような傾斜角度の小さい傾斜姿勢として吊持される。しかも、ホルダー１を装着することにより、往復揺動を繰り返すことはなく、直ちに静止させられる。
【００３４】
＜第２実施形態＞
図３及び図４は、本考案に係るホルダーの第２実施形態を示している。
【００３５】
第２実施形態におけるホルダー１の技術的構成及び作用は、上述した第１実施形態と同様であるから、同一構成要素は同一符号により図示しており、第１実施形態の上述した説明を援用することにより、重複説明を省略する。
【００３６】
第２実施形態の場合、ホルダー１の外観として第１実施形態と異なる意匠デザインが採用され、カップ部５は、猫等の動物を模した頭部５ａと胴部５ｂが表され、頭部５ａには耳部５ｃが表されている。また、ストッパ部６は、動物の尻尾部６ａを表し、棒状のアーム部１０と、先端の接支部１１を構成している。
【００３７】
図３（Ａ）（Ｂ）（Ｃ）は、第１実施形態について説明した図１（Ａ）（Ｂ）（Ｃ）に対応しており、図４（Ａ）（Ｂ）（Ｃ）は、第１実施形態について説明した図２（Ａ）（Ｂ）（Ｃ）に対応しているので、上述の説明を援用する。
【符号の説明】
【００３８】
１  洋傘
２  中棒
３  手元
３ａ  グリップ部
３ｂ  フック部
４  ホルダー
５  カップ部
５ａ  頭部
５ｂ  胴部
５ｃ  耳部
６  ストッパ部
６ａ  尻尾部
７  円形穴
８  弾性リブ
９  湾曲面部
１０  アーム部
１０ａ  帯片
１１  接支部
【図１】
0003222058.tif 000003
【図２】
0003222058.tif 000004
【図３】
0003222058.tif 000005
【図４】
0003222058.tif 000006